(57)【要約】【課題】クーポンその他のデータの利用状況を管理するための情報管理技術を提供する。【解決手段】本情報管理装置は、所定のデータを識別するためのデータＩＤと、当該データの利用状況を示すステータスとを対応付けて記録する記録手段と、所定のユーザに対して所定のデータを配信する配信手段と、データの消込処理を行う消込手段とを備える。配信手段は、データを配信する際に、配信するデータのデータＩＤと、当該データのステータスを対応付けて記録手段に記録する。消込手段は、ユーザ端末からデータＩＤを受信したことに応答して、記録手段においてデータＩＤに対応付けられたステータスを、配信済みから開封済みに変更し、店舗端末からデータＩＤを受信したことに応答して、ステータスを、開封済みから使用済みに変更する。【選択図】図１
2017016436.tif 000002
【特許請求の範囲】
【請求項１】
所定のデータを識別するためのデータＩＤと、当該データの配信先ユーザを識別するためのユーザＩＤと、当該データの利用状況を示すステータスとを対応付けて記録する記録手段と、
所定のユーザに対して、所定のデータを配信する配信手段であって、前記所定のデータを配信する際、前記配信するデータのデータＩＤと、当該データの配信先ユーザのユーザＩＤと、当該データのステータスとして配信済みであることを示す情報とを対応付けて前記記録手段に記録する配信手段と、
前記データの消込処理を行う消込手段であって、
前記ユーザが使用するユーザ端末から、当該ユーザ端末に配信されたデータのデータＩＤを受信したことに応答して、前記記録手段において前記データＩＤに対応付けられたステータスを、配信済みから開封済みに変更し、
前記店舗端末からデータＩＤを受信したことに応答して、前記記録手段において前記データＩＤに対応付けられたステータスを、開封済みから使用済みに変更する、消込手段と、
を備える情報管理装置。
【請求項２】
前記消込手段において、前記店舗端末から受信されるデータＩＤは、前記店舗端末が、前記ユーザ端末に表示された画像から読み取ったデータＩＤに基づくものであることを特徴とする、請求項１記載の情報管理装置。
【請求項３】
前記記録手段に記録された情報を分析して、配信されたデータの利用状況の推移を、複数のカテゴリに分けて前記店舗端末に表示させる分析手段をさらに備えることを特徴とする、請求項１又は２記載の情報管理装置。
【請求項４】
前記所定のデータは、クーポンに関するデータを含むことを特徴とする、請求項１乃至３のいずれかに記載の情報管理装置。
【請求項５】
所定のデータを識別するためのデータＩＤと、当該データの配信先ユーザを識別するためのユーザＩＤと、当該データの利用状況を示すステータスとを対応付けて記録する記録手段を使用可能なコンピュータのプロセッサにおいて、
所定のユーザに対して、所定のデータを配信することであって、前記所定のデータを配信する際、前記配信するデータのデータＩＤと、当該データの配信先ユーザのユーザＩＤと、当該データのステータスとして配信済みであることを示す情報とを対応付けて前記記録手段に記録することと、
前記データの消込処理を行うことであって、
前記ユーザが使用するユーザ端末から、当該ユーザ端末に配信されたデータのデータＩＤを受信したことに応答して、前記記録手段において前記データＩＤに対応付けられたステータスを、配信済みから開封済みに変更することと、
前記店舗端末からデータＩＤを受信したことに応答して、前記記録手段において前記データＩＤに対応付けられたステータスを、開封済みから使用済みに変更することと、
を実行する情報管理方法。
【請求項６】
請求項５に記載の情報管理方法をコンピュータに実行させるためのプログラム。
【発明の詳細な説明】
【技術分野】
【０００１】
本発明は、ユーザ等に関する情報を管理する技術に関する。
【背景技術】
【０００２】
従来、店舗を利用するユーザに対してクーポンやお知らせ等の情報を配信するとき、店員が自ら、ユーザの性別、年齢、誕生月などの属性情報を用いて、電子クーポンを配信すべきユーザの絞り込みを行い、絞り込まれたユーザに対して、クーポンやお知らせ等の情報を配信していた。また、特許文献１には、クーポンサービスを提供する店舗の特性を表すキーワードに基づいて、店舗の特性と合致する会員を擁するコミュニティサイトにのみ店舗のクーポンサービス情報を配信することが記載されている。
【先行技術文献】
【特許文献】
【０００３】
【特許文献１】特開２００９−２１７７４３号公報
【発明の概要】
【発明が解決しようとする課題】
【０００４】
従来技術においては、クーポンを配信すべきユーザの絞り込みなど、クーポンを配信する際の技術が多く見られる。しかしながら、クーポンを配信した後に、クーポン毎にいつ誰がクーポンを使用したかを分析するものではない。
【０００５】
これに対し、本発明の所定の実施形態に係る発明は、クーポンその他のデータの利用状況を管理するための情報管理技術を提供しようとするものである。
【課題を解決するための手段】
【０００６】
本発明の所定の実施形態に係る情報管理装置は、所定のデータを識別するためのデータＩＤと、当該データの配信先ユーザを識別するためのユーザＩＤと、当該データの利用状況を示すステータスとを対応付けて記録する記録手段と、所定のユーザに対して、所定のデータを配信する配信手段と、データの消込処理を行う消込手段とを備える。配信手段は、所定のデータを配信する際、配信するデータのデータＩＤと、当該データの配信先ユーザのユーザＩＤと、当該データのステータスとして配信済みであることを示す情報とを対応付けて記録手段に記録するものを含む。消込手段は、ユーザが使用するユーザ端末から、当該ユーザ端末に配信されたデータのデータＩＤを受信したことに応答して、記録手段においてデータＩＤに対応付けられたステータスを、配信済みから開封済みに変更し、店舗端末からデータＩＤを受信したことに応答して、記録手段においてデータＩＤに対応付けられたステータスを、開封済みから使用済みに変更するものを含む。これにより、ユーザに配信されたデータの利用状況を管理できる。
【０００７】
消込手段において店舗端末から受信されるデータＩＤは、店舗端末が、ユーザ端末に表示された画像から読み取ったデータＩＤに基づくものであることを含む。また、記録手段に記録された情報を分析して、配信されたデータの利用状況の推移を、複数のカテゴリに分けて店舗端末に表示させる分析手段をさらに備えてもよい。
【０００８】
また、本発明の所定の実施形態に係る情報管理方法は、所定のデータを識別するためのデータＩＤと、当該データの配信先ユーザを識別するためのユーザＩＤと、当該データの利用状況を示すステータスとを対応付けて記録する記録手段を使用可能なコンピュータのプロセッサにおいて実行される方法であり、所定のユーザに対して、所定のデータを配信することと、データの消込処理を行うこととを含む。データを配信する処理は、所定のデータを配信する際、配信するデータのデータＩＤと、当該データの配信先ユーザのユーザＩＤと、当該データのステータスとして配信済みであることを示す情報とを対応付けて記録手段に記録することを含む。また、データの消込処理は、ユーザが使用するユーザ端末から、当該ユーザ端末に配信されたデータのデータＩＤを受信したことに応答して、記録手段においてデータＩＤに対応付けられたステータスを、配信済みから開封済みに変更することと、店舗端末からデータＩＤを受信したことに応答して、記録手段においてデータＩＤに対応付けられたステータスを、開封済みから使用済みに変更することとを含む。
【０００９】
本発明の所定の実施形態に係るプログラムは、上述の情報管理方法の各処理をコンピュータに実行させるものである。かかるプログラムは、ＣＤ−ＲＯＭ等の光学ディスク、磁気ディスク、半導体メモリなどの各種の記録媒体を通じて、又は通信ネットワークなどを介してダウンロードすることにより、コンピュータにインストール又はロードすることができる。
【００１０】
なお、本明細書等において、手段とは、単に物理的手段を意味するものではなく、その手段が有する機能をソフトウェアによって実現する場合も含む。また、１つの手段が有する機能が２つ以上の物理的手段により実現されても、２つ以上の手段の機能が１つの物理的手段により実現されてもよい。
【発明の効果】
【００１１】
本発明の所定の実施形態に係る発明によれば、クーポンその他のデータの利用状況を管理するための情報管理技術を提供することにより、例えば、配信されたデータ毎にいつ誰がデータを使用したかを管理することができる。
【図面の簡単な説明】
【００１２】
【図１】本発明の一実施形態に係る情報管理システム１の構成を示す概略図である。
【図２】本実施形態に係る情報管理サーバ１０の構成の一例を示す概略図である。
【図３】本実施形態に係る店舗端末２０の構成の一例を示す概略図である。
【図４】本実施形態に係るユーザ端末３０の構成の一例を示す概略図である。
【図５】本実施形態に係るデータの配信処理の一例として、クーポンを配信する処理の流れを示すフローチャートである。
【図６】本実施形態に係るデータの閲覧に係る消込処理の一例として、クーポンの閲覧に関する処理の流れを示すフローチャートである。
【図７】本実施形態に係るデータの使用に係る消込処理の一例として、クーポンが使用された際に消込みをする処理の流れを示すフローチャートである。
【図８】本実施形態に係る利用状況の分析処理の一例を示すフローチャートである。
【図９】本実施例において、ユーザ端末３０に表示され、ユーザが閲覧するクーポンの一例を示す図である。
【図１０】本実施例において、ユーザ端末３０に表示される、クーポンに関する二次元コードを含む画面の一例を示す図である。
【図１１】本実施例における、利用状況の分析結果画面の一例を示す図である。
【発明を実施するための形態】
【００１３】
以下、本発明の実施の形態について図面を参照しつつ詳細に説明する。なお、同一の要素には同一の符号を付し、重複する説明を省略する。また、以下の実施の形態は、本発明を説明するための例示であり、本発明をその実施の形態のみに限定する趣旨ではない。さらに、本発明は、その要旨を逸脱しない限り、さまざまな変形が可能である。
【００１４】
図１は、本発明の一実施形態に係る情報管理システム１の構成を示す概略図である。同図に示すとおり、本実施形態において、情報管理システム１は、情報管理サーバ１０と、１以上の店舗端末２０と、１以上のユーザ端末３０とを備える。各店舗端末２０及び各ユーザ端末３０はそれぞれ、ネットワークＮを介して情報管理サーバ１０と通信できるように構成される。
【００１５】
情報管理サーバ１０は、例えば、演算処理能力の高いホストコンピュータによって構成され、そのホストコンピュータにおいて所定のサーバ用プログラムが動作することにより、サーバ機能を発現するものである。ここで、情報管理サーバ１０を構成するためのコンピュータは、ホストコンピュータに制限されず、例えば、汎用または特定用途のコンピュータや通信端末装置によって構成されてもよい。また、情報管理サーバ１０を構成するホストコンピュータは、必ずしも１台である必要はなく、ネットワークＮ上に分散する複数のサブコンピュータから構成されてもよい。
【００１６】
店舗端末２０は、飲食店や美容室、ホテル等の店舗において、店員等によって使用される端末装置である。各店舗において、１又は複数の店舗端末２０を用いることができる。
【００１７】
ユーザ端末３０は、店舗を利用するユーザ等によって使用される端末装置であり、ユーザが携帯可能であることが好ましい。また、ユーザ端末３０は、ビーコン発信機４０が発信するビーコンを受信可能な端末装置であることが好ましい。
【００１８】
本実施形態では、店舗端末２０として、タブレット端末やＰＣ（パーソナルコンピュータ）を想定し、ユーザ端末３０として、スマートフォンを想定する。しかし、これらに限られず、店舗端末２０及びユーザ端末３０としては、例えば、ＰＣ（パーソナルコンピュータ）、タブレット端末、スマートフォン、携帯電話機、携帯情報端末（ＰＤＡ）、その他の任意の端末装置を用いることができる。
【００１９】
ネットワークＮは、情報管理サーバ１０と店舗端末２０とユーザ端末３０との間で情報を送受信可能な通信網を含む。例えば、インターネット、ＬＡＮ、専用線、電話回線、企業内ネットワーク、移動体通信網、ブルートゥース、ＷｉＦｉ（Wireless Fidelity）、その他の通信回線、それらの組み合わせ等のいずれであってもよく、有線であるか無線であるかを問わない。
【００２０】
図２は、本実施形態に係る情報管理サーバ１０の構成の一例を示す概略図である。同図に示すとおり、本実施形態における情報管理サーバ１０は、プロセッサ１１、通信インタフェース１２、及び記憶資源１３を備える。
【００２１】
プロセッサ１１は、算術演算、論理演算、ビット演算等を処理する算術論理演算ユニット及び各種レジスタ（プログラムカウンタ、データレジスタ、命令レジスタ、汎用レジスタ等）から構成され、記憶資源１３に格納されているコンピュータプログラム１３０を解釈及び実行し、店舗端末２０及びユーザ端末３０からのリクエストに応じた処理を実行する。
【００２２】
通信インタフェース１２は、ネットワークＮに接続し、店舗端末２０及びユーザ端末３０と通信をするためのハードウェアモジュールであり、例えば、ＩＳＤＮモデム、ＡＤＳＬモデム、ケーブルモデム、光モデム、ソフトモデム等の変調復調装置である。
【００２３】
記憶資源１３は、例えば、物理デバイス（例えば、ディスクドライブ又は半導体メモリ等のコンピュータ読み取り可能な記録媒体）の記憶領域が提供する論理デバイスである。複数の物理デバイスを１つの論理デバイスにマッピングしてもよく、或いは１つの物理デバイスを複数の論理デバイスにマッピングしてもよい。記憶資源１３には、コンピュータプログラム１３０と、ユーザのプロファイルや履歴情報などのデータベースとが記憶される。また、記憶資源１３には、種々の制御演算処理を行う際に必要なパラメータや、画像の生成や表示処理に必要なパラメータなどの演算パラメータを含む各種のデータ等が記憶される。
【００２４】
コンピュータプログラム１３０は、店舗端末２０またはユーザ端末３０から受信した情報またはリクエスト等に基づいて所定の処理を行うためのプログラムであり、情報管理サーバ１０のメインプログラム（上述したサーバ用プログラム等）の動作中に適宜呼び出されて実行される複数のソフトウェアモジュールを備える。かかるソフトウェアモジュールは、それぞれ特定の処理を実行するためにモジュール化されたサブプログラムであり、例えば、プロシージャ、サブルーチン、メソッド、関数、及びデータ構造等を用いて作成されたものである。
【００２５】
具体的には、コンピュータプログラム１３０は、分析モジュール１３２、配信モジュール１３３、及び消込モジュール１３４を備える。また、演算処理の結果等を店舗端末２０やユーザ端末３０に表示するための画面情報の生成やその表示処理を行う画像モジュール、ネットワークＮを介した通信処理等を行う通信モジュール等を備えてもよい。
【００２６】
分析モジュール１３２は、店舗端末２０からのリクエストに応答して、利用管理データベース１３６を分析し、クーポンその他のデータの利用状況を複数のグループに分けて集計し、これら複数のグループを区別できるような態様で店舗端末２０に表示させる処理を含む種々の制御演算処理を行う。
【００２７】
配信モジュール１３３は、選択ないし抽出等されたユーザに対して、電子クーポンを含むデータの配信に付随する種々の制御演算処理を行う。
【００２８】
消込モジュール１３４は、店舗端末２０またはユーザ端末３０からクーポンＩＤを受信したことに応答して、利用管理データベース１３６に記録されている、対応するクーポンのステータスの変更を含む消込処理に付随する種々の制御演算処理を行う。
【００２９】
利用管理データベース１３６は、ユーザに配信したデータの利用状況を管理するためのデータベースであり、例えば、配信したデータを識別するためのデータＩＤと、当該データの配信先ユーザのユーザＩＤと、当該データの利用状況を示すステータスとが対応付けて記録される。
【００３０】
ここでは、ユーザにクーポンを配信する場合の実施例に適用して説明する。この場合、利用管理データベース１３６は、クーポンを発行する店舗の店舗ＩＤと、クーポンを識別するためのクーポンＩＤと、当該クーポンの配信先ユーザのユーザＩＤと、当該クーポンの利用状況を示すステータスとが対応付けられて記録される。
【００３１】
ユーザ情報データベース１３７は、ユーザのプロファイルを含む情報を管理するためのデータベースである。例えば、情報管理システム１内でユーザを識別するためのユーザＩＤと、ユーザの氏名、電話番号、その他のユーザプロファイルとが対応付けられて記録される。
【００３２】
履歴データベース１３８は、ユーザの来店ないし購入に関する履歴情報を蓄積するためのデータベースである。例えば、ユーザのユーザＩＤと、店舗を識別するための店舗ＩＤと、各店舗に来店ないし購入した日または日時を示す日時情報と、ユーザが購入した金額を含む購入情報とが対応付けて記録される。購入情報がブランクである場合、または、購入した金額としてゼロが記録される場合、来店のみで購入が無かったことを示すものとしてよい。また、購入情報は、ユーザが購入した商品等の総額であってもよいし、ユーザが購入した全ての商品等について、数量や金額を個別に記録するものとしてもよい。
【００３３】
図３は、本実施形態に係る店舗端末２０の構成の一例を示す概略図である。同図に示すとおり、本実施形態における店舗端末２０は、プロセッサ２１、通信インタフェース２２、記憶資源２３、入力デバイス２４、表示デバイス２５、及びカメラ２６を備える。
【００３４】
プロセッサ２１は、算術論理演算ユニット及び各種レジスタ（プログラムカウンタ、データレジスタ、命令レジスタ、汎用レジスタ等）から構成され、記憶資源２３に格納されているコンピュータプログラム２３０を解釈及び実行し、入力デバイス２４に入力された操作情報等に従って情報管理サーバ１０にリクエストを送信し、情報管理サーバ１０からのレスポンスを受信する。
【００３５】
記憶資源２３は、例えば、物理デバイス（例えば、ディスクドライブ又は半導体メモリ等のコンピュータ読み取り可能な記録媒体）の記憶領域が提供する論理デバイスである。記憶資源２３には、コンピュータプログラム２３０のほか、店舗端末２０の処理に用いられるオペレーティングシステムプログラム、ドライバプログラム、各種データ等が格納される。ドライバプログラムとしては、例えば、入力デバイス２４を制御するための入力デバイスドライバプログラムや、表示デバイス２５を制御するための出力デバイスドライバプログラム等が挙げられる。各種データとしては、例えば、ユーザが注文したオーダー情報の履歴や、ユーザが支払う会計情報等が挙げられる。
【００３６】
コンピュータプログラム２３０は、具体的には、店舗端末２０をＰＯＳ（Point of Sales）レジスター（ＰＯＳレジ）として機能させて、店舗における会計処理に付随する種々の制御演算処理を行うレジモジュール２３１と、二次元コードやバーコードなどのコード情報を読み取り、これに付随する種々の制御演算処理を行うコード処理モジュール２３２とを含む。これらのモジュールは、サーバ装置（不図示）からネットワークＮを通じて配信されるアプリケーションプログラムが店舗端末２０にインストールされることによって実装され得る。
【００３７】
通信インタフェース２２は、情報管理サーバ１０との接続インタフェースを提供するものであり、無線通信インタフェース又は有線通信インタフェースから構成される。また、入力デバイス２４は、ユーザからの入力操作を受け付けるインタフェースを提供するものであり、タッチパネル、キーボード、マウス等を例示することができる。さらに、表示デバイス２５は、ＰＯＳレジ画面やクーポン配信の業務支援画面等の画像表示インタフェースをユーザに提供するものであり、例えば、液晶ディスプレイ、有機ＥＬディスプレイ、ＣＲＴディスプレイ等が挙げられる。また、カメラ２６は、二次元コード等の被写体の静止画像を撮像するためのものである。
【００３８】
図４は、本実施形態に係るユーザ端末３０の構成の一例を示す概略図である。同図に示すとおり、本実施形態におけるユーザ端末３０は、プロセッサ３１、通信インタフェース３２、記憶資源３３、入力デバイス３４、及び表示デバイス３５を備える。これらの要素は、店舗端末２０を構成する各要素と概ね同じものとすることができるので、ここでは説明を省略する。
【００３９】
コンピュータプログラム３３０は、記憶資源３３に格納される。コンピュータプログラム３３０は、具体的には、ユーザが保有するポイントやクーポンの管理に付随する種々の制御演算処理を行うワレットモジュール３３１を含む。これらのモジュールは、サーバ装置（不図示）からネットワークＮを通じて配信されるアプリケーションプログラムがユーザ端末３０にインストールされることによって実装され得る。
【００４０】
配信情報記録手段は、ユーザ端末３０に配信された情報を格納するための記憶領域である。例えば、クーポンＩＤと、その利用状況を示すステータスとが対応付けられて格納される。
【００４１】
次に、本実施形態に係る情報管理システム１による情報管理処理の具体的な処理フローについて説明する。
【００４２】
情報管理システム１によるユーザ情報の管理処理は、（１）特定のユーザに対してクーポン等のデータを配信する配信処理と、（２）配信されたデータをユーザが閲覧する際の消込処理と、（３）配信されたデータをユーザが使用する際の消込処理と、（４）配信したデータの利用状況を分析する処理と、によって構成される。そこで、以下、それぞれの処理について説明する。
【００４３】
（１．データの配信処理）
配信処理は、配信モジュール１３３によって制御される処理であり、情報管理サーバ１０が、店舗端末２０からのリクエストに応じて、ユーザ端末３０に対して、クーポンやその他の所定のデータを配信する処理を含む。
【００４４】
図５は、本実施形態に係るデータの配信処理の一例として、クーポンを配信する処理の流れを示すフローチャートである。
【００４５】
同図に示すとおり、まず、店舗の店員は、店舗端末２０から情報管理サーバ１０にアクセスして、クーポン配信の対象とするユーザの絞り込みを行う（ステップＳ５２１）。絞込みにおいては、店員が店舗端末２０に入力した検索条件に基づいて、情報管理サーバ１０は、ユーザ情報データベース１３７及び履歴データベース１３８等を検索し、検索の結果として抽出されたユーザの一覧を店舗端末２０に表示させる（ステップＳ５１１）。店員は、抽出されたユーザの一覧を見て、必要に応じて検索を繰り返し、配信対象とするユーザを絞り込んでいく。
【００４６】
店員は、配信対象とするユーザの絞り込みを終えると、配信するクーポンを指定し、その後、クーポンの配信をリクエストする（ステップＳ５２２）。このとき、複数のクーポンのサンプルの中から、配信するクーポンを選択することによって、所定の内容を含むクーポンの指定を行うことができる。ここで、クーポンの内容とは、クーポンによるサービスの内容（例えば、ディスカウントの金額や無料となる商品の情報）、クーポンの有効期限、クーポンの利用条件、クーポンの対象となる店舗、などを含むが、これらに限られない。また、店員がクーポンの内容を指定することによって、新たにクーポンを作成し、それを配信するものとしてもよい。さらに、店員からクーポンの指定がない場合、予め定められた所定の内容を含むクーポンが指定されたものとみなして、当該所定のクーポンを配信するものとしてもよい。
【００４７】
また、店舗端末２０から送信されるクーポン配信のリクエストは、例えば、店舗端末に登録されている店舗ＩＤと、クーポンを配信する対象ユーザのユーザＩＤと、クーポンに関する情報とを含む。クーポンに関する情報は、クーポンの内容を特定可能な識別子や、クーポンの内容を記述したものを含むが、これに限られない。
【００４８】
情報管理サーバ１０は、店舗端末２０からクーポン配信のリクエストを受信すると、リクエストに含まれる情報に基づいて、配信対象となるユーザのユーザ端末３０に対して、クーポン情報を配信する（ステップＳ５１３）。クーポン情報は、クーポンを識別するためのクーポンＩＤと、クーポンの内容に関する情報とを含む。
【００４９】
ユーザ端末３０は、情報管理サーバ１０からクーポン情報を受信すると（ステップＳ５３３）、ワレットモジュール３３１の制御により、受信したクーポンに関する情報をデータ記録部３３９に格納する。例えば、受信したクーポン情報に含まれるクーポンＩＤとクーポンの内容を、データ記録部３３９に格納する（ステップＳ５３４）。こうして、ユーザ端末３０が保持するクーポンとして、受信したクーポンが追加される。
【００５０】
情報管理サーバ１０は、ステップＳ５１３でクーポンを配信した際に、配信したクーポンの情報を、利用管理データベース１３６に格納する（ステップＳ５１４）。例えば、情報管理サーバ１０は、配信したクーポンの１つ１つに対して、クーポンを発行した店舗の店舗ＩＤと、クーポンを配信したユーザのユーザＩＤと、配信したクーポンを識別するためのクーポンＩＤと、クーポンの利用状況のステータスを示す情報と、クーポンを配信した日時に関する情報とを対応付けて、利用管理データベース１３６に格納する。このとき、クーポンの利用状況のステータスとしては、例えば、配信済みであることを示す情報を格納する。これにより、クーポンを配信したユーザと、配信日時を管理できる。
【００５１】
なお、複数のユーザに対して同じ内容のクーポンを配信したとき、複数のユーザ間で同じクーポンＩＤを用いてもよいし、配信したクーポンの１つ１つに対して異なるクーポンＩＤ、すなわち、ユーザ毎に異なるクーポンＩＤを用いてもよい。同じクーポンＩＤを用いる場合は、ユーザＩＤとクーポンＩＤを組合せることによって、配信したクーポンを一意に特定できる。また、配信したクーポンの１つ１つに対して異なるクーポンＩＤを用いる場合は、クーポンＩＤのみによって、配信したクーポンを一意に特定できる。したがって、後者の場合は、ユーザ間でクーポンが転々流通する場合であっても、どのユーザに配信したクーポンであるかを特定できる。
【００５２】
（２．データの閲覧に係る消込処理）
ユーザは、ユーザ端末３０において、配信されたクーポンやその他の所定のデータを閲覧して、データの内容を確認することができる。このデータの閲覧に係る消込処理について、説明する。
【００５３】
図６は、本実施形態に係るデータの閲覧に係る消込処理の一例として、クーポンの閲覧に関する処理の流れを示すフローチャートである。
【００５４】
ユーザが入力デバイス３４等を介してクーポンを閲覧する旨のリクエストを入力すると、ユーザ端末３０は、ワレットモジュール３３１の制御により、そのリクエストに応答して、データ記録部３３９に格納されているクーポンを読み出し、表示デバイス３５にクーポンを表示する（ステップＳ６３１）。
【００５５】
このとき、例えば、ユーザ端末３０は、データ記録部３３９に格納されているクーポンの中から利用可能なものを読み出して、クーポンの一覧を作成して、表示デバイス３５に表示する。そして、表示されたクーポン一覧の中から、ユーザが一のクーポンをタップ等して選択することにより、当該選択に応答して、ユーザ端末３０は選択されたクーポンの内容の少なくとも一部を表示デバイス３５に表示する。
【００５６】
ユーザ端末３０は、クーポンを表示するとき、表示されたクーポンのクーポンＩＤを情報管理サーバ１０に送信する（ステップＳ６３２）。ここで、クーポンＩＤは、データ記録部３３９から読み出したものを用いることができる。また、クーポンＩＤに加えて、ユーザＩＤと、クーポンを表示した日時情報を、情報管理サーバ１０に送信してもよい。
【００５７】
情報管理サーバ１０は、ユーザ端末３０からクーポンＩＤを受信すると、当該クーポンＩＤのクーポンが閲覧されたものと判断する。そして、消込モジュール１３４の制御により、受信したクーポンＩＤをキーに利用管理データベース１３６を検索し、当該クーポンＩＤに対応するクーポンのステータスを、配信済みから閲覧済みに変更する（ステップＳ６１２）。
【００５８】
さらに、当該クーポンＩＤに対応付けて、ユーザ端末３０から受信したユーザＩＤ及び日時情報を利用管理データベース１３６に格納することによって、クーポンを閲覧したユーザ、及び閲覧した日時を管理できる。
【００５９】
図９は、本実施例において、ユーザ端末３０に表示され、ユーザが閲覧するクーポンの一例を示す図である。同図に示すとおり、クーポンの内容として、クーポンによるサービスの内容、クーポンの有効期限、クーポンの利用条件などが表示される。また、図示省略しているが、クーポンの対象となる店舗に関する情報を表示させるものとしてもよい。
【００６０】
（３．データの使用に係る消込処理）
データの利用に係る消込処理は、消込モジュール１３４によって制御される処理であり、情報管理サーバ１０が、店舗端末２０から受信したクーポンやその他のデータに基づいて配信したデータが使用された際に、消込みを行う処理を含む。これにより、配信したデータが使用されたことを管理することができる。
【００６１】
図７は、本実施形態に係るデータの使用に係る消込処理の一例として、クーポンが使用された際に消込みをする処理の流れを示すフローチャートである。
【００６２】
まず、ユーザが店舗へ来店したときや飲食や買い物等を終えて支払いをするときに、ワレットモジュール３３１の制御により、ユーザ端末３０の表示デバイス３５に、ユーザが選択したクーポンに関する二次元コードを表示させる（Ｓ７３１）。具体的には、ステップＳ６３１と同様の処理を経て、ユーザ端末３０にクーポン一覧を表示させた後、ユーザは、表示されたクーポン一覧の中から一のクーポンをタップして選択することによって、行使するクーポンを選択する。当該選択に応答して、ユーザ端末３０は、選択されたクーポンのクーポンＩＤを含む二次元コードを生成し、表示デバイス３５に表示させる。
【００６３】
図１０は、本実施例において、ユーザ端末３０に表示される、クーポンに関する二次元コードを含む画面の一例を示す図である。同図に示す二次元コード１０１０には、例えば、ユーザＩＤと、選択されたクーポンを識別するためのクーポンＩＤとが埋め込まれている。ユーザは、クーポンＩＤを含む二次元コードが表示されたユーザ端末３０を店員に提示することによって、クーポンを使用することができる。
【００６４】
図７に戻り、店員は店舗端末２０のコード処理モジュール２３２の制御により、ユーザ端末３０に表示された二次元コードを読み取り、ユーザＩＤとクーポンＩＤを取得する（ステップＳ７２１）。具体的には、店舗端末２０のカメラ２６を用いて、ユーザ端末３０に表示された二次元コードを撮像し、当該二次元コードに埋め込まれたユーザＩＤやクーポンＩＤを取得する。
【００６５】
その後、店舗端末２０は、取得したユーザＩＤ及びクーポンＩＤと、店舗端末２０に登録されている店舗ＩＤと、クーポンを使用する日時情報とを含む電文を情報管理サーバ１０に送信する（ステップＳ７２２）。
【００６６】
情報管理サーバ１０は、店舗端末２０から受信した電文に含まれるクーポンＩＤに基づいてクーポンの行使条件を確認して、クーポンが利用可能か否かを判定する（ステップＳ７１３）。このとき、受信したクーポンＩＤをキーに利用管理データベース１３６を検索して、当該クーポンＩＤに対応するクーポンの内容を読み出して、クーポンの有効期限、利用条件、対象となる店舗等の行使条件を満たしているか否かを確認する。行使条件を満たしている場合には、クーポンの利用を許可し、満たしていない場合には、クーポンの利用を認めない。
【００６７】
情報管理サーバ１０は、クーポンが利用可能か否かの判定結果を店舗端末２０に送信し、店舗端末２０は、当該判定結果に基づいて、ユーザとの取引処理を実行する（ステップＳ７２３）。例えば、行使条件の満たしていると判定された場合、情報管理サーバ１０は、クーポンによるサービスの内容を含む判定結果を店舗端末２０に送信する。店舗端末２０は、判定結果に含まれるサービスの内容に基づいて取引を実行する。他方、行使条件を満たしていないと判定された場合、情報管理サーバ１０は、その旨を店舗端末２０に送信する。店舗端末２０は、ユーザから提示されたクーポンの行使を拒否して、取引を実行する。
【００６８】
また、ステップＳ７１３における判定の結果、クーポンが利用可能であると判定されたとき、情報管理サーバ１０は、ステップＳ７１３で店舗端末２０から受信したクーポンＩＤに基づいて、利用管理データベース１３６の消込処理を行う（ステップＳ７１４）。例えば、クーポンＩＤをキーに利用管理データベース１３６を検索し、当該クーポンＩＤに対応するクーポンのステータスを、閲覧済みから利用済みに変更する。
【００６９】
さらに、当該クーポンＩＤに対応付けて、店舗端末２０から受信したユーザＩＤ、店舗ＩＤ、及び日時情報を利用管理データベース１３６に格納することによって、クーポンを利用したユーザ、利用した店舗、及び利用した日時を管理できる。
【００７０】
ステップＳ７１４の処理と並行して、情報管理サーバ１０は、当該クーポンＩＤに対応するクーポンが使用済みとなったことを示す情報をユーザ端末３０に送信する。ユーザ端末３０は、当該情報を受信したとき、当該情報に含まれるクーポンＩＤをキーにデータ記録部３３９を検索して、当該クーポンＩＤに対応するクーポンの消込処理を行う（ステップＳ７３４）。具体的には、当該クーポンＩＤに対応付けられたレコードのステータスを使用済みに変更する。また、当該クーポンＩＤに対応付けられたレコードをデータ記録部３３９から削除してもよい。
【００７１】
このように、クーポンの消込処理を行うことによって、店員は、配信したクーポンの利用状況を追跡できるようになる。また、クーポンの譲渡を許容する場合、クーポンの配信先のユーザＩＤと、クーポンを閲覧及び行使した際のユーザＩＤを確認することによって、クーポンが譲渡された履歴を確認することができる。
【００７２】
ここでは、支払いの際に、ユーザが店員にクーポンに関する二次元コードが表示されたユーザ端末３０を提示することによって、クーポンを行使する実施例を説明した。しかし、ユーザ端末３０に二次元コードを表示することは必須ではなく、店舗端末２０が二次元コードを取得できる態様であればよい。例えば、クーポンに関する二次元コードを印刷して、店舗側に提示してもよい。また、クーポンに関する情報に加えて、二次元コードに、ユーザのポイントに関する情報を埋め込むものとしてもよい。
【００７３】
また、クーポンのステータスとして、配信済み、開封済み、及び使用済み、という３つの状態を含むものとしたが、ステータスの表し方、数、および種類はこれらに限定されず、種々のものを採用可能である。
【００７４】
（４．利用状況の分析処理）
次に、利用管理データベース１３６に記録された情報を用いてデータの利用状況を分析する処理について説明する。
【００７５】
図８は、本実施形態に係る利用状況の分析処理の一例を示すフローチャートである。
【００７６】
同図に示すとおり、まず、店員が店舗端末２０から情報管理サーバ１０に対して、クーポンの利用状況の分析処理をリクエストする（ステップＳ８２１）。例えば、店員が店舗端末２０を用いて情報管理サーバ１０にアクセスし、当該店舗で発行したクーポンを一覧表示する旨をリクエストする。これに応答して、情報管理サーバ１０は、店舗ＩＤをキーに利用管理データベース１３６を検索して、当該店舗で発行されたクーポンの一覧を、店舗端末２０に表示させる。このとき、配信したクーポンの１つ１つに対して異なるクーポンＩＤで管理している場合は、店舗ＩＤとクーポンの配信日時に基づいて、当該店舗で発行したクーポンの一覧を生成する。また、同じ内容のクーポンを同じクーポンＩＤで管理している場合は、店舗ＩＤとクーポンＩＤに基づいて、当該店舗で発行したクーポンの一覧を生成する。店員が、店舗端末２０に表示されたクーポン一覧の中から、利用状況を確認したいクーポンを選択すると、店舗端末２０は、選択されたクーポンの利用状況の分析処理を情報管理サーバ１０にリクエストする。
【００７７】
情報管理サーバ１０は、分析処理のリクエストを受信すると、分析モジュール１３２の制御により、クーポンの利用状況の分析処理を実行する（ステップＳ８１１）。例えば、店舗ＩＤと配信日時に基づいて、又は、クーポンＩＤに基づいて、分析対象のクーポンを利用管理データベース１３６から読み出し、ステータスに基づいて利用状況を分析する（ステップＳ８１１）。そして、情報管理サーバ１０は、分析結果の画面情報を生成し、店舗端末２０に表示させる（ステップ８２２）
【００７８】
図１１は、本実施例における、利用状況の分析結果画面の一例を示す図である。同図は、ある店舗で４月８日に１８９名のユーザに配信したクーポンについて、４月１２日までの５日間における、クーポンの開封（クーポンの閲覧）及び使用（クーポンの行使）状況の推移を集計した例を示している。店員は、分析結果を確認することによって、クーポンの利用状況を管理し、次回以降の配信に活かすことができるようになる。
【００７９】
なお、本発明は、上記した実施の形態に限定されるものではなく、本発明の要旨を逸脱しない範囲内において、他の様々な形で実施することができる。このため、上記実施形態はあらゆる点で単なる例示にすぎず、限定的に解釈されるものではない。例えば、上述の各処理ステップは処理内容に矛盾を生じない範囲で任意に順番を変更して又は並列に実行することができる。
【符号の説明】
【００８０】
１     情報管理システム
１０   情報管理サーバ
１１   プロセッサ
１２   通信インタフェース
１３   記憶資源
１３０ コンピュータプログラム
１３２ 分析モジュール
１３３ 配信モジュール
１３４ 消込モジュール
１３６ 利用管理データベース
１３７ ユーザ情報データベース
１３８ 履歴データベース
２０   店舗端末
２１   プロセッサ
２２   通信インタフェース
２３   記憶資源
２３０ コンピュータプログラム
２３１ レジモジュール
２３２ コード処理モジュール
２４   入力デバイス
２５   表示デバイス
２６   カメラ
３０   ユーザ端末
３１   プロセッサ
３２   通信インタフェース
３３   記憶資源
３３０ コンピュータプログラム
３３１ ワレットモジュール
３３９ データ記録部
３４   入力デバイス
３５   表示デバイス
Ｎ     ネットワーク
【図１】
2017016436.tif 000003
【図２】
2017016436.tif 000004
【図３】
2017016436.tif 000005
【図４】
2017016436.tif 000006
【図５】
2017016436.tif 000007
【図６】
2017016436.tif 000008
【図７】
2017016436.tif 000009
【図８】
2017016436.tif 000010
【図９】
2017016436.tif 000011
【図１１】
2017016436.tif 000012
【図１０】
2017016436.tif 000013
【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
所定のデータを一意に特定するためのデータＩＤと、当該データの利用状況を示すステータスとを対応付けて記録する記録手段と、
所定のユーザに対して、前記所定のデータを配信する配信手段であって、前記所定のデータを配信する際、前記配信するデータのデータＩＤと、当該データのステータスとして配信済みであることを示す情報とを対応付けて前記記録手段に記録する配信手段と、
前記データの消込処理を行う消込手段であって、
前記所定のユーザが使用するユーザ端末から、当該ユーザ端末に配信されたデータのデータＩＤを受信したことに応答して、前記記録手段において前記データＩＤに対応付けられたステータスを、配信済みから開封済みに変更し、
店舗端末からデータＩＤを受信したことに応答して、前記データＩＤに対応するデータの行使条件を満たしているか否かを確認し、行使条件を満たしていると判定された場合、前記店舗端末において実行される内容を含む判定結果を前記店舗端末に送信するとともに、前記記録手段において前記データＩＤに対応付けられたステータスを、開封済みから使用済みに変更する、消込手段と、
を備える情報管理装置。
【請求項２】
前記消込手段において、前記店舗端末から受信されるデータＩＤは、前記店舗端末が、前記ユーザ端末に表示された画像から読み取ったデータＩＤに基づくものであることを特徴とする、請求項１記載の情報管理装置。
【請求項３】
前記記録手段に記録された情報を分析して、配信されたデータの利用状況の推移を、複数のカテゴリに分けて前記店舗端末に表示させる分析手段をさらに備えることを特徴とする、請求項１又は２記載の情報管理装置。
【請求項４】
前記所定のデータは、クーポンに関するデータを含むことを特徴とする、請求項１乃至３のいずれかに記載の情報管理装置。
【請求項５】
所定のデータを一意に特定するためのデータＩＤと、当該データの利用状況を示すステータスとを対応付けて記録する記録手段を使用可能なコンピュータのプロセッサにおいて、
所定のユーザに対して、前記所定のデータを配信することであって、前記所定のデータを配信する際、前記配信するデータのデータＩＤと、当該データのステータスとして配信済みであることを示す情報とを対応付けて前記記録手段に記録することと、
前記データの消込処理を行うことであって、
前記所定のユーザが使用するユーザ端末から、当該ユーザ端末に配信されたデータのデータＩＤを受信したことに応答して、前記記録手段において前記データＩＤに対応付けられたステータスを、配信済みから開封済みに変更することと、
店舗端末からデータＩＤを受信したことに応答して、前記データＩＤに対応するデータの行使条件を満たしているか否かを確認し、行使条件を満たしていると判定された場合、前記店舗端末において実行される内容を含む判定結果を前記店舗端末に送信するとともに、前記記録手段において前記データＩＤに対応付けられたステータスを、開封済みから使用済みに変更することと、
を実行する情報管理方法。
【請求項６】
請求項５に記載の情報管理方法をコンピュータに実行させるためのプログラム。
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
所定のデータ各々について、データを一意に特定するためのデータＩＤと、当該データの利用状況を示すステータスと、当該データの有効期限、利用条件または対象店舗を含む行使条件とを対応付けて記録する記録手段と、
所定のユーザに対して、前記所定のデータを配信する配信手段であって、前記所定のデータを配信する際、前記配信するデータのデータＩＤと、当該データのステータスとして配信済みであることを示す情報とを対応付けて前記記録手段に記録する配信手段と、
前記データの消込処理を行う消込手段であって、
前記所定のユーザが使用するユーザ端末から、当該ユーザ端末に配信されたデータのデータＩＤを受信したことに応答して、前記記録手段において前記データＩＤに対応付けられたステータスを、配信済みから開封済みに変更し、
店舗端末からデータＩＤを受信したことに応答して、受信したデータＩＤに対応するデータの行使条件を前記記録手段から読み出して、当該行使条件を満たしているか否かを確認し、行使条件を満たしていると判定された場合、前記店舗端末において実行される内容を含む判定結果を前記店舗端末に送信するとともに、前記記録手段において前記データＩＤに対応付けられたステータスを、開封済みから使用済みに変更する、消込手段と、
を備え、
前記消込手段において、前記店舗端末から受信されるデータＩＤは、前記店舗端末が、前記ユーザ端末に表示された画像から読み取ったデータＩＤに基づくものであり、さらに、前記消込手段は、前記店舗端末から、当該データＩＤに対応付けて、ユーザＩＤ、店舗ＩＤ及び日時情報を受信し、前記記録手段に格納することにより、前記データを利用したユーザ、利用した店舗、及び利用した日時を管理可能とする
情報管理装置。
【請求項２】
前記記録手段に記録された情報を分析して、配信されたデータの利用状況の推移を、複数のカテゴリに分けて前記店舗端末に表示させる分析手段をさらに備えることを特徴とする、請求項１記載の情報管理装置。
【請求項３】
前記所定のデータは、クーポンに関するデータを含むことを特徴とする、請求項１又は２に記載の情報管理装置。
【請求項４】
所定のデータ各々について、データを一意に特定するためのデータＩＤと、当該データの利用状況を示すステータスと、当該データの有効期限、利用条件または対象店舗を含む行使条件とを対応付けて記録する記録手段を使用可能なコンピュータのプロセッサにおいて、
所定のユーザに対して、前記所定のデータを配信することであって、前記所定のデータを配信する際、前記配信するデータのデータＩＤと、当該データのステータスとして配信済みであることを示す情報とを対応付けて前記記録手段に記録することと、
前記データの消込処理を行うことであって、
前記所定のユーザが使用するユーザ端末から、当該ユーザ端末に配信されたデータのデータＩＤを受信したことに応答して、前記記録手段において前記データＩＤに対応付けられたステータスを、配信済みから開封済みに変更することと、
店舗端末からデータＩＤを受信したことに応答して、受信したデータＩＤに対応するデータの行使条件を前記記録手段から読み出して、当該行使条件を満たしているか否かを確認し、行使条件を満たしていると判定された場合、前記店舗端末において実行される内容を含む判定結果を前記店舗端末に送信するとともに、前記記録手段において前記データＩＤに対応付けられたステータスを、開封済みから使用済みに変更することであって、前記店舗端末から受信されるデータＩＤは、前記店舗端末が、前記ユーザ端末に表示された画像から読み取ったデータＩＤに基づくものであり、さらに、前記店舗端末から、当該データＩＤに対応付けて、ユーザＩＤ、店舗ＩＤ及び日時情報を受信し、前記記録手段に格納することにより、前記データを利用したユーザ、利用した店舗、及び利用した日時を管理可能とすることと、
を実行する情報管理方法。
【請求項５】
請求項４に記載の情報管理方法をコンピュータに実行させるためのプログラム。